(57)【要約】【課題】塗布用ブラシを有するキャップと容器本体からなる化粧料容器などにおいて、容器内の液体が微量となった際に、塗布用ブラシが液体に達することを目的とする。【解決手段】本発明は、塗布用ブラシを有するキャップと容器本体とからなる化粧料用容器、並びに液体のり用容器、接着剤用容器、塗料用容器において、前記キャップに有する塗布用ブラシを上下移動させるための伸縮機構が設けられている化粧料用容器、並びに液体のり用容器、接着剤用容器、塗料用容器を提供する。【選択図】図１
2011072744.tif 000002
【特許請求の範囲】
【請求項１】
塗布用ブラシを有するキャップと容器本体とからなる化粧料用容器、並びに液体のり用容器、接着剤用容器、塗料用容器において、前記キャップに有する塗布用ブラシを上下移動させるための伸縮機構が設けられていることを特徴とする化粧料用容器、並びに液体のり用容器、接着剤用容器、塗料用容器。
【請求項２】
前記伸縮機構が、液もれ防止材によって保護されていることを特徴とする請求項１に記載の化粧料用容器、並びに液体のり用容器、接着剤用容器、塗料用容器。
【発明の詳細な説明】
【技術分野】
【０００１】
本発明は、マニキュアなどの化粧品類、液体のり、接着剤や塗料などの液体用容器において、容器本体と塗布用ブラシを有するキャップ部分からなる容器に関するものである。
【背景技術】
【０００２】
マニキュアなどの化粧品類、液体のり、接着剤や塗料などの液体用容器には、キャップ部分に塗布用ブラシを有するものがあり、そのブラシを使用することで容器内の液体を塗布することを目的としている。
しかし、容器内の液体の残量が微量の場合、容器本体とキャップ部分を分離して使用する際、塗布用ブラシが容器内の液体に達しないという問題が発生する。
【０００３】
そこで、マスカラ用容器としては、特許文献１が示すように容器本体よりキャップ部分を開放する際、ブラシ柄部分が伸長することで容器本体の底に残ったマスカラ液を使用可能な状態にすることが提案されている。
しかし、キャップの開閉に関わらず容器内底面より塗布用ブラシが一定の高さを保持した状態となるため、容器内において特に底面と側面が接する位置に塗布用ブラシが達しないという問題が発生する。
【先行技術文献】
【特許文献】
【０００４】
【特許文献１】特表２００７−５２０２４９
【発明の概要】
【発明が解決しようとする課題】
【０００５】
解決しようとする問題点は、キャップに有する塗布用ブラシを上下移動させることにより、塗布用ブラシが容器内の微量となった液体に達するようにすることである。
【課題を解決するための手段】
【０００６】
本発明は、塗布用ブラシを有するキャップと容器本体とからなる化粧料用容器、並びに液体のり用容器、接着剤用容器、塗料用容器において、前記キャップに有する塗布用ブラシを上下移動させるための伸縮機構が設けられている化粧料用容器、並びに液体のり用容器、接着剤用容器、塗料用容器を提供する。
【０００７】
この際、前記伸縮機構が、液もれ防止材によって保護されている。
【発明の効果】
【０００８】
本発明の伸縮ブラシ付キャップは、容器内の液体の残量が微量となった際も、無駄なく使い切れるという利点がある。
【図面の簡単な説明】
【０００９】
【図１】図１は本発明の伸縮ブラシ付キャップを有する容器を示す一例の断面図である。
【図２】図２は本発明の伸縮ブラシ付キャップを有する容器を示す一例の断面図である。
【図３】図３は本発明の伸縮ブラシ付キャップを有する容器を示す一例の断面図である。
【図４】図４は本発明の伸縮ブラシ付キャップを有する容器を示す一例の断面図である。
【発明を実施するための形態】
【００１０】
以下、図示の実施の形態によって本発明を説明する。
【００１１】
図１は、本発明の伸縮ブラシ付キャップを有する容器を示す実施例の断面図である。
回転軸１は、中央部に雄ネジ３を有し、また、キャップ２の内部は空洞である。回転軸１はキャップ２の上部に位置し、回転軸１の有する雄ネジ３はキャップ２の上部を貫通し、内蓋５までのキャップ２内部に収まる長さである。
ブラシ柄７は上部に雄ネジ３に適合する雌ネジ４を有し、下部にはブラシ８を有する。ブラシ柄７は内蓋５を貫通し、上部の雌ネジ４は回転軸１の有する雄ネジ３に接続する。
この際、容器内の液体が漏れることを防止する目的で、内蓋５とブラシ柄７とは柔軟性のある結合材６で接合密閉する。
回転軸１を回転させることにより、ブラシ８を有するブラシ柄７を上下移動させることが可能となる。
図は左右共に容器本体よりキャップを開放した状態だが、左図はブラシ柄７を伸ばさない状態を示し、右図はブラシ柄７を伸ばした状態を示す。
【００１２】
図２は、本発明の伸縮ブラシ付キャップを有する容器を示す実施例の断面図である。
回転軸１は、中央部に雄ネジ３を有し、また、キャップ２の内部は空洞である。回転軸１はキャップ２の上部に位置し、回転軸１の有する雄ネジ３はキャップ２の上部並びに内蓋５を貫通し、ブラシ柄７内部に収まる長さである。
ブラシ柄７は、下部にブラシ８を有する。また、ブラシ柄７の上部付近に蛇腹１０を有し、蛇腹１０より下部のブラシ柄７内部に雄ネジ３に適合する雌ネジ４を有する。ブラシ柄７の上部は内蓋５に接し、内部の雌ネジ４は回転軸１の有する雄ネジ３に接続する。
この際、容器内の液体が漏れることを防止する目的で、内蓋５とブラシ柄７とは一体、もしくはそれに近い状態である。
回転軸１を回転させることにより、ブラシ柄７の有する蛇腹１０が伸縮することにより、ブラシ柄７の有するブラシ８を上下移動させることが可能となる。
図は左右共に容器本体よりキャップを開放した状態だが、左図はブラシ柄７を伸ばさない状態を示し、右図はブラシ柄７を伸ばした状態を示す。
【００１３】
図３は、本発明の伸縮ブラシ付キャップを有する容器を示す実施例の断面図である。
ピストン１１は、キャップ２の上部を貫通し、その下部は歯付回転板１３の歯形に適合する波形である。歯付回転板１３の歯の数量は２から４である。
キャップ２の内部は空洞で、内部側面に歯付回転板１３の歯の形状、数量に適合する長溝１２と片側波形溝１４を有する。
ブラシ柄７は、下部にブラシ８を有する。また、ブラシ柄７は内蓋５を貫通し、ブラシ柄７の上部付近に歯付回転板１３を回転動作が可能となるように貫通させる。
バネ１５は、歯付回転板１３と内蓋５との間に位置し、ブラシ柄７を貫通させた状態とする。
この際、容器内の液体が漏れることを防止する目的で、内蓋５とブラシ柄７とは柔軟性のある結合材６で接合密閉する。
ピストン１１を押し下げることにより、歯付回転板１３が押し下げられバネ１５が収縮する。バネ１５の反発力が働き、歯付回転板１３がキャップ２内側の長溝１２あるいは片側波形溝１４に沿って押し戻されることにより、ブラシ８を有するブラシ柄７を上下移動させることが可能となる。
図は左右共に容器本体よりキャップを開放した状態だが、左図はブラシ柄７を伸ばさない状態を示し、右図はブラシ柄７を伸ばした状態を示す。
【００１４】
図４は、本発明の伸縮ブラシ付キャップを有する容器を示す実施例の断面図である。
ピストン１１は、キャップ２の上部を貫通し、その下部は歯付回転板１３の歯形に適合する波形である。歯付回転板１３の歯の数量は２から４である。
キャップ２の内部は空洞で、内部側面に歯付回転板１３の歯の形状、数量に適合する長溝１２と片側波形溝１４を有する。
伝動軸１６は、上部付近に歯付回転板１３を回転動作が可能となるように貫通させる。また、伝動軸１６は内蓋５を貫通し、ブラシ柄７の内部にて蛇腹１０より下部に位置する長さとする。
ブラシ柄７は、下部にブラシ８を有し、上部付近に蛇腹１０を有する。また、ブラシ柄７の上部は内蓋５に接し、蛇腹１０より下部のブラシ柄７内部にて伝動軸１６の下部と接合する。
バネ１５は、歯付回転板１３と内蓋５との間に位置し、伝動軸１６を貫通させた状態とする。
この際、容器内の液体が漏れることを防止する目的で、内蓋５とブラシ柄７とは一体、もしくはそれに近い状態である。
ピストン１１を押し下げることにより、歯付回転板１３が押し下げられバネ１５が収縮する。バネ１５の反発力が働き、歯付回転板１３がキャップ２内側の長溝１２あるいは片側波形溝１４に沿って押し戻される。この際、ブラシ柄７の有する蛇腹１０が伸縮することにより、ブラシ柄７の有するブラシ８を上下移動させることが可能となる。
図は左右共に容器本体よりキャップを開放した状態だが、左図はブラシ柄７を伸ばさない状態を示し、右図はブラシ柄７を伸ばした状態を示す。
【符号の説明】
【００１５】
１    回転軸
２    キャップ
３    雄ネジ
４    雌ネジ
５    内蓋
６    結合材
７    ブラシ柄
８    ブラシ
９    容器本体
１０  蛇腹
１１  ピストン
１２  長溝
１３  歯付回転板
１４  片側波形溝
１５  バネ
１６  伝動軸
【図１】
2011072744.tif 000003
【図２】
2011072744.tif 000004
【図３】
2011072744.tif 000005
【図４】
2011072744.tif 000006